(57)【要約】      （修正有）【課題】使用時において払拭体を簡単に取り付けることができ、使用中において払拭体のズレ及び脱落が起こりにくく、使用後において払拭体の取り外しが簡単である清掃具を提供する。【解決手段】本発明の清掃具１においては、上部に係止部３３が形成された側壁３２を有する下側保持板３０の下方に払拭体６０を配置し、払拭体の左右に形成された取付部６１を側壁を経て下側保持板の内部へ折り込み、上側押圧板１０を下側保持板へ上方から押し込むことにより、取付部を下側保持板の内部へ引き込んで挟着し、払拭体の張力を強化し、払拭体のズレを低減する。上側押圧板を更に押し込むことにより、上側押圧板が下側保持板に嵌め込まれ、係止部により上方への脱離が防止される。使用後においては、上側押圧板を横へスライドさせて下側保持板から脱離させることにより、払拭体を前清掃具から解離させる。【選択図】図１
2010234026.tif 000002
【特許請求の範囲】
【請求項１】
底板部の両側縁に垂直又は略垂直に立設されて上部に係止部を形成された側壁を有する下側保持板と、ハンドルを備えた平板部の両側面を少なくとも下向湾曲面を有する湾曲側面とする上側押圧板からなり、前記上側押圧板を前記下側保持板の前記両側壁間に押込可能に構成され、前記上側押圧板を前記下側保持板の前記両側壁間に押込むことにより前記係止部によって前記上側押圧板が上方に脱離することが防止され、前記上側押圧板を前記両側壁に沿ってスライドさせて前記下側保持板から脱離可能にし、前記下側保持板の下面に払拭部を配置した払拭体の左右取付部を、前記側壁を経て前記下側保持板内部に折り込み、前記下側保持板に前記上側押圧板を押込んで前記払拭体を固定可能にし、前記湾曲側面と前記側壁及び前記係止部により前記取付部を全長に亘って挟着することを特徴とする押込スライド着脱型清掃具。
【請求項２】
前記係止部は前記側壁の全長に亘って形成される請求項１に記載の押込スライド着脱型清掃具。
【請求項３】
前記係止部は前記湾曲側面を内向下方へ誘導する上側滑面と前記湾曲側面の上方への脱離を阻止する下側押面から形成される請求項１又は２に記載の押込スライド着脱型清掃具。
【請求項４】
前記上側押圧板の前記湾曲側面にその側面方向に延びる１本以上の突条を形成し、前記上側押圧板を前記下側保持板内に押込むことにより、前記突条が前記払拭体の前記取付部を前記下側保持板の内方に引き込む請求項１〜３のいずれかに記載の押込スライド着脱型清掃具。
【請求項５】
前記下側保持板の前記側壁を分割して複数の小側壁を形成し、前記小側壁に可撓性を付与した請求項１〜４のいずれかに記載の押込スライド着脱型清掃具。
【請求項６】
前記下側保持板の前記底板部上面で前記側壁近傍に前記側壁に沿って上面凹凸部を形成し、前記払拭体の前記取付部が前記上面凹凸部と係合して前記取付部のズレを阻止する請求項１〜５のいずれかに記載の押込スライド着脱型清掃具。
【請求項７】
前記下側保持板の前記底板部下面の全面又は一部に下面凹凸部を形成し、前記払拭体の前記払拭部が前記下面凹凸部と係合して前記払拭部のズレを阻止する請求項１〜６のいずれかに記載の押込スライド着脱型清掃具。
【請求項８】
前記上側押圧板の前記湾曲側面の近傍に１個以上の切欠部を形成し、前記湾曲側面に可撓性を付与した請求項１〜７のいずれかに記載の押込スライド着脱型清掃具。
【請求項９】
前記湾曲側面の直近に上側切欠部を形成し、前記上側切欠部に隣接して下側切欠部を形成した請求項８に記載の押込スライド着脱型清掃具。
【請求項１０】
前記湾曲側面の直近に下側切欠部を形成し、前記下側切欠部に隣接して上側切欠部を形成した請求項８に記載の押込スライド着脱型清掃具。
【請求項１１】
前記上側押圧板を前記下側保持板に押込んだ際に、前記上側押圧板を前記下側保持板にロックするロック部を設けた請求項１〜１０に記載の押込スライド着脱型清掃具。
【請求項１２】
前記ロック部は、前記下側保持板の前記底板部上面で前記側壁に沿った方向に形成された波型部と、前記上側押圧板の上面中央に前記ハンドルから離間した位置に形成されたフック部からなり、前記フック部に１個以上に形成されたフックが前記波型部の溝に係合してロックされる請求項１１に記載の押込スライド着脱型清掃具。
【請求項１３】
前記波型部が前記下側保持板の中央線上で、前記ハンドルの前後に２個形成され、前記上側押圧板を１８０度回転して前記下側保持板に押込んだ場合でも、前記フックによる前記係合が可能になる請求項１１又は１２に記載の押込スライド着脱型清掃具。
【発明の詳細な説明】
【技術分野】
【０００１】
本発明は、払拭体を保持して使用する清掃具に関し、更に詳しくは、払拭体を清掃具に対して着脱自在に取り付けることができる清掃具に関する。
【背景技術】
【０００２】
一般には、払拭体を着脱自在に取り付けることができる清掃具においては、前記払拭体を簡単に前記清掃具に取り付けることができることが望まれる。又、前記清掃具使用時において、前記払拭体のズレ及び脱落が起こらないことが望まれる。更に、前記清掃具使用終了後において、前記払拭体の取り外しが簡単であることが望まれる。
【０００３】
この様な利点を得る目的をもって発明された清掃具としては、特許第３８１７０１９号公報（特許文献１）に開示されているものがある。この清掃具は、短手方向の両端に側壁を一体に有する下側保持板と、柄を備えた上側押え板とからなり、前記上側押え板は前記下側保持板内に上側から嵌め込み可能となり、前記側壁の内側に収容可能となっている。又、前記上側押え板は前記下側保持板に対して長手方向に相対的に移動自在となっている。前記上側押え板の両側には外部に向かって小突片が設けられ、また前記側壁の両側には、内部に向かって小突片が設けられ、前記小突片が係合することにより、前記上側押え板と前記下側保持板の解離が防止される。前記下側保持板の下面に当てた払拭体の両端を前記下側保持板内へと折り込み、前記側壁の小突片と前記上側押え板の小突片が相互に少々ずれるように前記下側保持板と前記上側押え板を整列し、前記上側押え板を前記下側保持板に押し込み、前記上側押え板をスライドして前記上側押え板の小突片を前記側壁の小突片の下側に潜入させることにより、前記両小突片を係合させる。前記上側押え板が前記下側保持板に嵌め込まれることにより、前記払拭体の両端が挟着される。前記上側押え板は、前記下側保持板に装備されている板ばね付きのロック用ボタンにより、所定の係合位置で係止保持される。
【０００４】
特許文献１における清掃具は、前記した清掃具に望まれる利点を多く有し、大量生産されて販売され、家庭、仕事場及び公共施設などを清潔に保つ為に広く使用されている。
【先行技術文献】
【特許文献】
【０００５】
【特許文献１】特許第３８１７０１９号公報
【発明の概要】
【発明が解決しようとする課題】
【０００６】
しかし、特許文献１における清掃具は、以下の如き改善点を有する。第１の改善点として、前記小突片が前記上側押え板と前記下側保持板のごく一部にしか形成されていないので、これらの係合部が所定位置に整列しない限り、前記上側押え板を前記下側保持板へ嵌め込むことができないことが挙げられる。第２の改善点として、前記清掃具において前記払拭体の張力を強化させる機構が存在しないので、前記清掃具の長時間使用において、前記払拭体のズレが起こりやすいことが挙げられる。第３の改善点として、前記払拭体取り外しの時点において、板ばね付きの前記ロック用ボタンを下方へ押さえ付けながら上側押え板を横へスライドさせる必要があるので、２方向へ同時に応力を加える煩雑さを有することが挙げられる。
【課題を解決するための手段】
【０００７】
本発明は、上記の改善点を改善する為になされたものであり、本発明の清掃具においては、上部に係止部が形成された側壁を有する下側保持板の下方に払拭体を配置し、前記払拭体の左右に形成された取付部を前記側壁を経て前記下側保持板の内部へ折り込み、上側押圧板を前記下側保持板へ上方から押し込むことにより、前記取付部を前記下側保持板の内部へ引き込んで挟着し、前記払拭体の張力を強化し、前記払拭体のズレを起こりにくくする。前記上側押圧板を更に押し込むことにより、前記上側押圧板が前記下側保持板に嵌め込まれ、前記係止部により上方への脱離が防止される。前記清掃具の使用後においては、前記上側押圧板を横へスライドさせて前記下側保持板から脱離させることにより、前記払拭体を前記清掃具から解離させる。
【０００８】
前記上側押圧板の横へのスライドを防止するロック部を前記清掃具に設けてもよく、前記ロック部が上側押圧板に形成されたフック部と下側保持板に形成された波型部からなる場合は、前記フック部と前記波型部の係合を外すことにより、下方への応力を加える必要無しに前記上側押圧板の横へのスライドを行うことができる。
【０００９】
従って、本発明の第１の形態は、底板部の両側縁に垂直又は略垂直に立設されて上部に係止部を形成された側壁を有する下側保持板と、ハンドルを備えた平板部の両側面を少なくとも下向湾曲面を有する湾曲側面とする上側押圧板からなり、前記上側押圧板を前記下側保持板の前記両側壁間に押込可能に構成され、前記上側押圧板を前記下側保持板の前記両側壁間に押込むことにより前記係止部によって前記上側押圧板が上方に脱離することが防止され、前記上側押圧板を前記両側壁に沿ってスライドさせて前記下側保持板から脱離可能にし、前記下側保持板の下面に払拭部を配置した払拭体の左右取付部を、前記側壁を経て前記下側保持板内部に折り込み、前記下側保持板に前記上側押圧板を押込んで前記払拭体を固定可能にし、前記湾曲側面と前記側壁及び前記係止部により前記取付部を全長に亘って挟着する押込スライド着脱型清掃具である。
【００１０】
本発明の第２の形態は、第１の形態において、前記係止部は前記側壁の全長に亘って形成される押込スライド着脱型清掃具である。
【００１１】
本発明の第３の形態は、第１又は２の形態において、前記係止部は前記湾曲側面を内向下方へ誘導する上側滑面と前記湾曲側面の上方への脱離を阻止する下側押面から形成される押込スライド着脱型清掃具である。
【００１２】
本発明の第４の形態は、第１〜３の形態のいずれかにおいて、前記上側押圧板の前記湾曲側面にその側面方向に延びる１本以上の突条を形成し、前記上側押圧板を前記下側保持板内に押込むことにより、前記突条が前記払拭体の前記取付部を前記下側保持板の内方に引き込む押込スライド着脱型清掃具である。
【００１３】
本発明の第５の形態は、第１〜４の形態のいずれかにおいて、前記下側保持板の前記側壁を分割して複数の小側壁を形成し、前記小側壁に可撓性を付与した押込スライド着脱型清掃具である。
【００１４】
本発明の第６の形態は、第１〜５の形態のいずれかにおいて、前記下側保持板の前記底板部上面で前記側壁近傍に前記側壁に沿って上面凹凸部を形成し、前記払拭体の前記取付部が前記上面凹凸部と係合して前記取付部のズレを阻止する押込スライド着脱型清掃具である。
【００１５】
本発明の第７の形態は、第１〜６の形態のいずれかにおいて、前記下側保持板の前記底板部下面の全面又は一部に下面凹凸部を形成し、前記払拭体の前記払拭部が前記下面凹凸部と係合して前記払拭部のズレを阻止する押込スライド着脱型清掃具である。
【００１６】
本発明の第８の形態は、第１〜７の形態のいずれかにおいて、前記上側押圧板の前記湾曲側面の近傍に１個以上の切欠部を形成し、前記湾曲側面に可撓性を付与した押込スライド着脱型清掃具である。
【００１７】
本発明の第９の形態は、第８の形態において、前記湾曲側面の直近に上側切欠部を形成し、前記上側切欠部に隣接して下側切欠部を形成した押込スライド着脱型清掃具である。
【００１８】
本発明の第１０の形態は、第８の形態において、前記湾曲側面の直近に下側切欠部を形成し、前記下側切欠部に隣接して上側切欠部を形成した押込スライド着脱型清掃具である。
【００１９】
本発明の第１１の形態は、第１〜１０の形態のいずれかにおいて、前記上側押圧板を前記下側保持板に押込んだ際に、前記上側押圧板を前記下側保持板にロックするロック部を設けた押込スライド着脱型清掃具である。
【００２０】
本発明の第１２の形態は、第１１の形態において、前記ロック部は、前記下側保持板の前記底板部上面で前記側壁に沿った方向に形成された波型部と、前記上側押圧板の上面中央に前記ハンドルから離間した位置に形成されたフック部からなり、前記フック部に１個以上に形成されたフックが前記波型部の溝に係合してロックされる押込スライド着脱型清掃具である。
【００２１】
本発明の第１３の形態は、第１１又は１２の形態において、前記波型部が前記下側保持板の中央線上で、前記ハンドルの前後に２個形成され、前記上側押圧板を１８０度回転して前記下側保持板に押込んだ場合でも、前記フックによる前記係合が可能になる押込スライド着脱型清掃具である。
【発明の効果】
【００２２】
本発明の第１の形態によれば、上側押圧板が下側保持板に押し込まれることにより、前記下側保持板の係止部が下向湾曲面により横に押されて側壁が前記下側保持板の外方に撓み、前記上側押圧板の上面が前記係止部の下方に到達した時点において、前記側壁の形状が前記側壁の弾性により元に戻り、前記上側押圧板が前記係止部に係止されることにより、前記下側保持板に嵌め込まれる。従って、特許文献１における清掃具と違って、前記上側押圧板と前記下側保持板が完璧に整列しない状態においても、簡単に嵌め込みができる。
【００２３】
前記上側押圧板の湾曲側面が可撓性を有する場合は、前記上側押圧板が前記下側保持板に押し込まれる際に、前記湾曲側面が前記係止部に横に押されて内側に撓む。前記上側押圧板の上面が前記係止部の下方に到達した時点において、前記湾曲側面の形状が前記側壁の弾性により元に戻り、前記上側押圧板が前記係止部に係止されることにより、前記下側保持板に嵌め込まれる。従って、前記湾曲側面が可撓性を有する場合においても、前記上側押圧板と前記下側保持板が完璧に整列しない場合でも簡単に嵌め込みができる。
【００２４】
又、前記上側押圧板に前記下側保持板が嵌め込まれる際に、払拭体の両取付部が前記下向湾曲面により引き込まれ、前記払拭体が強張力状態で前記上側押圧板と前記下側保持板に挟着され、更に前記両取付部の中間部分を形成する払拭部が強張力状態で前記下側保持板の下面に押しつけられるので、前記払拭体のズレが防止される。前記取付部は、前記上側押圧板及び前記下側保持板の全長に亘って挟着されるので、前記挟着が全挟着表面に亘って均一となり、従って前記挟着の状態が弱い箇所が存在しないので、前記払拭体のズレ及び脱落が起こりにくくなる。
【００２５】
更に、前記上側押圧板と前記下側保持板を、横にスライドすることにより、前記払拭体を本発明の清掃具から分離することができるので、装飾体の着脱が容易である清掃具を提供できる。
【００２６】
前記上側押圧板と前記下側保持板が本発明の清掃具使用時において横に相互にスライドしないように、前記上側押圧板の前記下側保持板への密着度を高くしても良い。又、前記密着度を弱状態にして、前記上側押圧板及び前記下側保持板にロック手段を設けることにより前記スライドを防止しても良い。この様なロック手段を設けた場合には、前記清掃具の使用を終了した際に、前記密着による摩擦が弱くなるので、前記ロック手段を解除することにより、簡単に前記上側押圧板を横にスライドできる。従って、前記清掃具の使用後における分解が容易になるという利点がある。
【００２７】
本発明の上側押圧板及び下側保持板の材質としては、金属、材木及びプラスチック等が考えられる。重量、加工性及び価格の点で最も好ましいのは、プラスチックである。
【００２８】
本発明の払拭体の材料としては、柔軟性を有するものであり、前記上側押圧板と前記下側保持板に挟着することができ、清掃に用いられても破損しないものであれば何でも良く、布、不織布、ナイロンパイル及び紙などが考えられる。前記払拭体が予め洗剤などの払拭液を含むものであっても良い。
【００２９】
本発明の係止部は、前記上側押圧板が前記下側保持板に押し込まれる際に、横に押されることにより、前記側壁を外側に撓ませる機能を持つものであれば、どのような形状を有しても良い。前記上側押圧板の前記湾曲側面が可撓性を有する場合は、本発明の係止部は、前記湾曲側面を横に押し込むことにより、前記湾曲側面を内側に撓ませる機能を持つものであれば、どのような形状を有してもよい。又、前記上側押圧板に前記下側保持板が押し込まれた状態において、前記上側押圧板の上方への脱離を防止するものであれば、本発明の係止部はどのような形状を有しても良い。
【００３０】
前記係止部の長さは、ある程度以上であれば、前記した係止部の機能に殆ど影響しない。従って、前記係止部は本発明の側壁の全長に亘って形成されても良いし、部分的に形成されても良い。好ましくは、前記係止部は前記側壁の全長の半分以上に形成されていることである。前記係止部が前記側壁の全長の部分的に形成されている場合においては、前記係止部が一体に形成されても良いし、２個以上に分割されて形成されても良い。又、本発明の係止部は、本発明の側壁の最上部に形成されても良いし、前記側壁の最上部から少々下方に形成されても良い。
【００３１】
本発明の湾曲側面は、前記係止部による前記係止部の外側への押し広げ及び／又は前記湾曲側面の内側への押し込みを助長するために、下向湾曲面を有する必要がある。前記湾曲側面の上側には、上向湾曲面を有しても良いし、湾曲しない垂直な面を有しても良い。
【００３２】
本発明の第２の形態によれば、前記係止部が前記側壁の全長に亘って形成されているので、前記上側押圧板を全長において均一な係止力をもって係止することができ、更に前記払拭体の取付部を、前記側壁の全長に亘って均一な挟着力をもって挟着することができる。従って、前記上側押圧板の脱離及び前記払拭体のズレを確実に防止させることができる。
【００３３】
特許文献１の清掃具においては、上側押え板と下側保持板の係合手段が小突片なので、本形態の上側押圧板の下側保持板への係止手段と比較して、係合力が低く、また前記小突片へ負担が強く掛かるので、前記小突片の破損の可能性が高くなる。又、特許文献１の清掃具においては、払拭体が前記小突片により挟着され、前記小突片以外の部分は前記挟着にほぼ関与しないので、前記挟着の挟着力が弱く且つ不均一である。従って、特許文献１の清掃具は、長時間使用後において払拭体のズレを生じやすい。本形態の清掃具においては、前記上側押圧板が全長において均一に係止され、前記払拭体の前記取付部が全長に亘って均一に挟着されるので、前記係止部の破損の可能性及び前記払拭体のズレの可能性が低減される。
【００３４】
本発明の第３の形態によれば、前記係止部は前記湾曲側面を内向下方へ誘導する上側滑面及び前記湾曲側面の上方への脱離を阻止する下側押面を有するので、前記上側押圧板の前記下側保持板への押込みが容易となり、更に前記上側押圧板の前記下側保持板からの脱離が確実に防止される。
【００３５】
前記上側滑面形状の例としては、前記下側保持板の前記側面に沿う中心線へ向かって下方に傾斜した形状を有すれば良い。前記傾斜の断面は、直線でも良いし、曲線でも良い。前記下側押面形状の例としては、前記係止部の下側が前記上側押圧板の上面と比較して、水平であればよい。又、前記係止部の下側が前記下側保持板の外側へ向かって上方に傾斜してもよい。
【００３６】
本発明の第４の形態によれば、上側押圧板の湾曲側面に突条が設けられ、この突条の摩擦により払拭体の取付部が引き込まれるので、前記取付部の引き込みが更に強くなる。又、前記突条が前記取付部の挟着を助長するので、前記払拭体の挟着がより強固となる。
【００３７】
本形態における突条は、前記取付部を引き込まれる際に前記取付部と前記湾曲側面の摩擦を強化し、また前記上側押圧板が押し込まれた状態において前記取付部の挟着に関与し、更に前記上側押圧板が横にスライドされる際に前記スライドを阻害しないことが要求られる。この様な要求を満たす形状として、前記突条は前記湾曲側面の側面方向に、１本又はそれ以上の帯状に形成される。
【００３８】
本発明の第５の形態によれば、前記側壁が分割されて多数の小側壁となるので、前記側壁の可撓性が増加し、従って前記上側押圧板の前記下側保持板への押込みがより容易になる。
【００３９】
側壁が一体に形成された場合には、前記側壁は強固になる。しかし、この強固な構造は、前記側壁の可撓性を阻害し、上側押圧板の下側保持板への押込みを困難にする。前記側壁を分割して多数の小側壁とすることにより、本発明の清掃具の組み立てを容易にすることができる。
【００４０】
本発明の第６の形態によれば、前記下側保持板の側壁に沿って、帯状に上面凹凸部が形成され、前記払拭体の前記取付部が前記上面凹凸部と嵌合されるので、前記払拭体の本発明の清掃具への挟着を強固にすることができ、前記払拭体の使用中におけるズレ及び脱落を防止することができる。前記上面凹凸部の突起形状としては、数々のものを使用することができ、例えば円状、クロスハッチ状及び四角状などが考えられる。
【００４１】
本発明の第７の形態によれば、前記下側保持板の下面に下面凹凸部を形成し、前記払拭体の前記払拭部に前記下面凹凸部を係合させるので、本発明の清掃具の使用時において、前記払拭部により清掃される物体への固着に起因する前記払拭体のズレを防止できる。
【００４２】
本発明の清掃具により清掃される物体としては、畳及び絨毯などが考えられる。これらの物体は凹凸を有するので、前記払拭部が前記物体と係合して固着することにより、前記払拭部のズレを生じて、清掃力を低下させる。前記下面凹凸部を形成し、前記払拭部と係合させることにより、前記固着を克服するための摩擦を得ることができ、従って前記ズレを防止することができる。
【００４３】
前記下面凹凸部は、前記下側保持板の底板部の下面全面に形成されても良い。この場合は、前記払拭部との係合力が最大化される。しかし、前記下面凹凸部を、前記底板部の下面の各側面に沿う形で、帯状に形成されても良い。前記下面凹凸部の突起形状としては、数々のものを使用することができ、例えば円状、クロスハッチ状及び四角状などが考えられる。
【００４４】
本発明の第８の形態によれば、前記上側押圧板の前記湾曲側面の近傍に切欠部を形成するので、前記湾曲側面に可撓性が付加され、前記上側押圧板の前記下側保持板への押込みがより容易になる。前記切欠部は、各湾曲側面の近傍に１個形成されても良いし、２個以上でも良い。
【００４５】
前記湾曲側面が硬化された材質により形成され、前記切欠部が形成されていない場合においては、前記湾曲側面が前記上側押圧板の前記下側保持板への押込みを阻害する。前記切欠部を設置して前記湾曲側面に可撓性を付加することにより、前記押込みが容易になり、従って本発明の清掃具の組み立てが容易になる。
【００４６】
本発明の第９の形態によれば、前記湾曲側面の直近に上側切欠部が形成され、前記上側切欠部に隣接して下側切欠部が形成されるので、前記湾曲側面の可撓性が向上し、従って前記上側押圧板の前記下側保持板への押込みが容易になる。
【００４７】
本発明の第１０の形態によれば、前記湾曲側面の直近に下側切欠部が形成され、前記下側切欠部に隣接して上側切欠部が形成されるので、前記湾曲側面の可撓性が向上し、従って前記上側押圧板の前記下側保持板への押込みが容易になる。
【００４８】
本発明の第１１の形態によれば、前記上側押圧板と前記下側保持板をロックするロック部が設けられているので、本発明の清掃具の使用時において、前記上側押圧板と前記下側保持板の横への相互スライドを防止でき、従って前記下側保持板及び払拭体の脱落を防止することができる。前記ロック部の形状としては、例えばネジ、フック、及びバネ付きボタンなどが考えられる。
【００４９】
前記相互スライドは、前記下側保持板の側壁と前記上側押圧板の湾曲側面を強密着とすることによっても達成できる。しかし、このように強密着とした場合には、本発明の清掃具の使用後においての分割が困難になる。前記ロック部を装備して、前記上側押圧板と前記下側保持板の分解を任意に行うことを可能にすることにより、前記側壁と前記湾曲側面の密着を弱くすることができ、本発明の清掃具の使用後の分解がより容易になる。
【００５０】
本発明の第１２の形態によれば、前記上側押圧板に形成されたフック部のフックと、前記下側保持板に形成された波型部を係合させて固定することにより、本発明の清掃具の使用時において前記上側押圧板、前記下側保持板及び前記払拭体の解離を防ぐことができ、更に、前記清掃具の使用後において、前記清掃具の分解を容易に行うことができる。
【００５１】
前記フック部は前記上側押圧板に、軸により接続され、前記フック部の一方の先端には１個以上のフック部が形成され、前記フック部のもう片方の先端には押込み部が形成されている。この押込み部を下方へ押し込むことにより、前記フック部が部分回転して、前記フック部の前記フックを有する先端が上方へ移動し、それと同時に前記フックが上方に移動して、前記波型部との係合が解除される。
【００５２】
前記フック部はバネを必要としない。従って、前記フックと前記波型部の係合が解除された後は、前記係合の解除を保持する為に前記押込み部を下方へ押し続ける必要はない。このため、特許文献１における清掃具と違い、前記上側押圧板を横へスライドする時点において、前記スライドをを煩雑とする下側への押込みを省くことができ、本発明の清掃具の使用後においての分解が容易となる。
【００５３】
又、前記上側押圧板と前記下側保持板の整列が不完全な場合においても、前記フックは前記波型部の複数の溝のいずれかに係合できる。従って、前記上側押圧板の前記下側保持板への押し込み時点で、前記上側押圧板の完全な整列を考慮する必要がないので、本発明の清掃具の組み立てが容易となる。
【００５４】
本発明の第１３の形態によれば、前記波型部が２個形成されているので、前記上側押圧板を１８０度回転して前記下側保持板に押込んだ場合でも、前記フックによる係合が可能になり、前記上側押圧板を前記下側保持板へ押し込む前に、前記上側押圧板のフック部と前記下側保持板の波型部を整列する必要が無い。従って、特許文献１の清掃具と違い、前記上側押圧板と前記下側保持板のロック部を整列する必要が無いので、本発明の清掃具の組み立てが容易となる。
【図面の簡単な説明】
【００５５】
【図１】本発明の押込スライド着脱型清掃具の斜視構造図である。
【図２】上側押圧板が下側保持板に押し込まれ、払拭体が装着される過程を示す概念図である。
【図３】突条が取付部を引き込む直前を示す拡大図である。
【図４】突条が取付部を引き込んだ後を示す拡大図である。
【図５】突条を有さない湾曲側面において、前記湾曲側面が取付部を引き込む直前を示す概念図である。
【図６】突条を有さない湾曲側面において、前記湾曲側面が取付部を引き込んだ後を示す概念図である。
【図７】フックと波型部の係合を外すことにより、下側保持版が右方へスライドできることを示す概念図である。
【図８】フックと波型部の係合を外すことにより、下側保持版が左方へスライドできることを示す概念図である。
【図９】フックが数個設けられているフック部による係合を示す構造図である。
【図１０】各側壁が分割されずに一体化された下側保持板の斜視構造図である。
【図１１】突条が装備されず、上向湾曲面及び下向湾曲面が形成された湾曲側面を有する上側押圧板の押込みを示す概念図である。
【図１２】最上部に左右各１個の突条が装備された湾曲側面を有する上側押圧板の押込みを示す概念図である。
【図１３】最上部から下方に左右各１個の突条が装備された湾曲側面を有する上側押圧板の押込みを示す概念図である。
【図１４】下側切欠部の外側に上側切欠部が設置された上側押圧板の押込みを示す概念図である。
【図１５】下側切欠部の外側に上側切欠部が設置され、更に湾曲側面に突条が形成された上側押圧板の押込みを示す概念図である。
【図１６】上側切欠部の外側に下側切欠部が設置され、更に湾曲側面に突条が形成された上側押圧板の押込みを示す概念図である。
【図１７】係止部の形状の例を示す断面図である。
【図１８】払拭部の両面に下面凹凸部への係合部を兼ねる清掃部が形成された払拭体の断面図である。
【図１９】底板部における下面凹凸部の形状を示す構造底面図である。
【発明を実施するための形態】
【００５６】
以下において、図面に従って、本発明の実施形態を詳細に説明する。図１は、本発明の押込スライド着脱型清掃具１の斜視構造図である。上側押圧板１０は、中央における平板部１１及び左右に装備されている湾曲側面１３から構成される。図１においては、湾曲側面１３は上向湾曲面１６及び下向湾曲面１５を両方有し、更に湾曲側面１３に平行する突条１４が複数形成されている。しかし、上向湾曲面１６及び突条１４は、形成されていなくても良い。平板部１１の上側の中央部、即ち上側押圧板１０の重心部直上にはハンドル１２が装備されている。ハンドル１２の装備方法としては、上側押圧板１０の中心軸部に平行な軸部により装着しても良い。この場合には、ハンドル１２は、使用時において前後方向のみに移動する。又、ハンドル１２を自在継手により装着してもよい。この場合は、ハンドル１２は使用時において前後左右に自由自在に移動する。ハンドルから離れた位置において、中心線上に貫通孔２３が設けられ、貫通孔２３内にはフック部２０が軸２４により装着されている。
【００５７】
下側保持板３０は、底板部３１及び前記底板部３１の両側に形成された側壁３２から構成される。底板部３１においては、両側壁３２に沿って、上面凹凸部３５が帯状に形成され、後記する払拭体６０の取付部６１のズレを防止する。底板部３１上面の両側壁３２に沿う中央軸上には、波型部３６が２つ形成され、上側押圧板１０の下側保持板３０への押込み時点で、フック部２０のフック２１が波型部３６の１つへ係合する。底板部３１の下面には、下面凹凸部３７が形成され、後記する払拭体６０のズレを防止する。
【００５８】
側壁３２は、図１においては、可撓性を向上させる為、多数の小側壁３４に分離されている。しかし、各側壁３２が一体化されて形成されても良い。各側壁３２の上面には、係止部３３が形成されている。この係止部３３は、下側保持板３０に押し込まれてる上側押圧板１０の上方への脱離を防止し、更に後記する払拭体６０の取付部６１の挟着に関与する。
【００５９】
払拭体６０は、布、不織布、パイル及び紙などの柔軟性を有する材質により製造される。払拭体６０の下面には、物体を払拭する清掃部６３が形成されている。払拭体６０の上面には、底板部３１の下面凹凸部３７に係合できる係合部６２が形成されている。清掃部６３と係合部６２が払拭部６４を形成する。払拭体６０において、清掃部６３及び係合部６２が同一構造を有していても良い。即ち、払拭部６４において、裏表の区別が無くても良い。払拭部６４の両側には、取付部６１が装備され、これらの取付部６１が、上側押圧板１０と下側保持板３０の間に挟着されることにより、払拭体６０が固定されて本発明の清掃具１に装着される。
【００６０】
図２は、上側押圧板１０が下側保持板３０に押し込まれ、払拭体６０が装着される過程を示す概念図である。図２Ａは、上側押圧板１０が下側保持板３０の上方へ配置された状態を示す。又、図２Ａにおいては、払拭体６０が下側保持板３０の下側に配置される。この様に配置した払拭体６０の左右取付部６１を、下側保持板の左右側壁３２に沿って上部へ折り曲げ、更に係止部３３に沿って内側へ折り曲げる。
【００６１】
図２Ｂは、上側押圧板１０が下側保持板３０に押し込まれる最中の過程を示す。両湾曲側面１３により両係止部３３が横方に押され、両側壁３２が外方へ撓む。又、湾曲側面１３の突条１４が、払拭体６０の取付部６１に接触する。上側押圧板１０が下方へ押し込まれることにより、取付部６１が突条１４により引き込まれる。取付部６１が引き込まれることにより、底板部３１の下側に配置されている払拭部６４が外側へ引かれ、払拭体６０の張力が強化される。これにより、払拭体６０が底板部３１の下面に張られる。
【００６２】
図２Ｃは、上側押圧板１０が下側保持板３０に押し込まれた後を示す。取付部６１は、湾曲側面１３の表面に設けられた突条１４と側壁３２及び係止部３３の間に挟着され、更に平板部１１の下面端部と底板部３１の上面凹凸部３５の間に挟着される。払拭部６４は底板部３１の下面に張られた状態で密着し、払拭部６４の上面に形成された係合部６２は、下面凹凸部３７に係合されることにより、払拭体６０のズレを防止する。前記押し込み完了時点においては、湾曲側面１３による係止部３３の横方への応力が解除されるので、側壁３２の形状及び係止部３３の位置が元に戻る。上側押圧板１０の湾曲側面１３は、元の位置に戻った係止部３３により係止され、上側押圧板１０の下側保持板３０からの脱離を防止する。
【００６３】
図３は、湾曲側面１３が取付部６１を引き込む直前を示す拡大図である。湾曲側面１３の突条１４が取付部６１に接触する。この接触摩擦により、上側押圧板１０の押込み時において、取付部６１が下側保持板３０の内側へ引き込まれる。取付部６１は、突条１４と側壁３２の間に挟着され、更に平板部１１の下面端部と底板部３１の上面凹凸部３５の間に挟着される。払拭部６４は底板部３１の下面に張られた状態で密着し、払拭部６４の上面に形成された係合部６２が、下面凹凸部３７に係合されることにより、払拭体６０のズレが防止される。
【００６４】
図４は、湾曲側面１３が取付部６１を引き込んだ後を示す拡大図である。取付部６１は、湾曲側面１３の表面に形成された突条１４と側壁３２及び係止部３３により挟着され、更に平板部１１の下面端部と底板部３１の上面凹凸部３５により挟着される。又、払拭部６４の張力が前記引き込みにより強化され、底板部３１の下面に張られた状態で密着し、払拭部６４上面の係合部６２が下面凹凸部３７と係合することにより、払拭体６０のズレが防止される。
【００６５】
図５は、突条１４を有さない湾曲側面１３において、湾曲側面１３が取付部６１を引き込む直前を示す概念図である。図５に示される様に、突条１４が湾曲側面１３に形成されなくても、湾曲側面１３は下向湾曲部１５と取付部６１の接触摩擦により、取付部６１を引き込むことができる。
【００６６】
図５における湾曲側面１３には、上向湾曲面１６は設けられていない。湾曲側面１３の上側側面は垂直であり、また湾曲側面１３の最上部は、上側押圧板１０の上面と直角を形成する。前記直角は、係止部３３の下側に水平に形成された下側押面３９のほぼ全域と、取付部６１を介して接触する。取付部６１が取り込まれた状態においては、取付部６１が前記直角部及び前記上側側面と係止部３３の下側押面３９及び側壁３２の上側表面により、高面積に亘って挟着される。払拭部６４は底板部３１の下面に張られた状態で密着し、払拭部６４の上面に形成された係合部６２は、下面凹凸部３７に係合されることにより、払拭体６０のズレを防止する。
【００６７】
図６は、突条１４を有さない湾曲側面１３において、湾曲側面１３が取付部６１を引き込んだ後を示す概念図である。取付部６１は、突条１４が湾曲側面１３に形成されていなくても、湾曲側面１３と側壁３２及び係止部３３により挟着され、更に平板部１１の下面端部と底板部３１の上面凹凸部３５により挟着される。
【００６８】
図６における湾曲側面１３には、上向湾曲面１６は設けられていない。湾曲側面１３の上側側面は垂直であり、また湾曲側面１３の最上部は、上側押圧板１０の上面と直角を形成する。前記直角は、係止部３３の下側に水平に形成された下側押面３９のほぼ全域と、取付部６１を介して接触するので、上側押圧板１０の係止部３３による係止が強力となる。又、払拭体６０の取付部６１が取り込まれた状態においては、取付部６１が前記直角部及び前記上側側面と係止部３３の下側押面３９及び側面３２の上側表面により、高面積に亘って挟着されるので、取付部６１が本発明の清掃具１に強力に固定される。払拭部６４は底板部３１の下面に張られた状態で密着し、払拭部６４の上面に形成された係合部６２は、下面凹凸部３７に係合されることにより、払拭体６０のズレを防止する。
【００６９】
図７は、フック２１と波型部３６の係合を外すことにより、下側保持版３０が右方へスライドできることを示す概念図である。図７Ａは、フック部２０の先端に形成されたフック２１が波型部３６に係合された状態を示す。上側押圧板１０が下側保持板３０に押し込まれた状態においては、フック２１が波型部３６に係合され、上側押圧板１０と下側保持板３０が相互に横へスライドすることを防止する。
【００７０】
図７Ｂは、フック２１の波型部３６への係合が外された状態をしめす。フック部２０は、軸２４により上側押圧板１０に取り付けられていて、軸２４を中心に部分回転できるようになっている。フック部２０の、フック２１と反対側には、押込み部２２が装備される。押止み部２２を下方へ押すことにより、フック部２０が部分回転し、フック２１が上方へ移動して、波型部３６との係合が外れる。
【００７１】
図７Ｃは、上側押圧板１０と下側保持板３０が相互に横へスライドする過程を示す。フック部２０にはバネが装備されていないので、フック２１が上方へ移動した場合には、押込み部２２を押し込み続ける必要なしに、上方位置に保持される。従って、上側押圧板１０を下方に押し付けずに、横のみに応力を与えることにより、横へスライドできる。
【００７２】
図８は、フック２１と波型部３６の係合を外すことにより、下側保持版が左方へスライドできることを示す概念図である。波型部３６は下側保持板３０に対称形成されている。従って、上側押圧板１０を図７の状態から１８０度回転させた場合でも、上側押圧板１０を下側保持板３０に押し込むことができる。図８において、本発明の清掃具１の使用後に上側押圧板１０と下側保持板３０を解離する場合には、スライドの方向は図７とは逆となる。
【００７３】
図９は、フック２１が数個設けられているフック部２０による係合を示す構造図である。この様に、複数のフック２１を設け、これらのフック２１全てが波型部３６に係合することにより、上側押圧板１０の下側保持板３０への側面方向における固定を、更に強力にすることができる。
【００７４】
図１０は、各側壁が分割されずに一体化された下側保持板の斜視構造図である。図１においては、側壁３２に可撓性を付加するために、側壁３２に多数の切欠部を設けることにより多数の小側壁３４とした。しかし、側壁３２を形成する材質が十分な可撓性を有する場合、又は湾曲側面１３が可撓性を有する場合は、側壁３２は図１の様に分断される必要は無く、側壁３２を一体として形成しても良い。
【００７５】
図１１は、突条１４が装備されず、上向湾曲面１６及び下向湾曲面１５が形成された湾曲側面１３を有する上側押圧板１０の押込みを示す概念図である。図１１における湾曲側面１３の構造は、図５及び図６における湾曲側面１３の構造と比較して、上向湾曲面１６の存在以外は同じである。図５及び図６においては、湾曲側面１３と係止部３３及び側面３２の間の空間が狭い。挟着する取付部６１が一定以上の厚みを有する場合は、取付部６１が前記空間に収容できなくなり、従って上側押圧板１０の押し込みが取付部６１により阻害される。図１１に示されるように、上向湾曲面１６を設けることにより、一定以上の厚みを有する取付部６１を湾曲側面１３と係止部３３及び側面３３の間に収容することができ、従って上側押圧板１０が下側保持板３０に押し込みが可能になる。図１１における上向湾曲面１６は、取付部６１の挟着及び上側押圧板１０の係止部３３による係止を阻害しないように形成される必要がある。従って、上向湾曲面１６と係止部３３の下側押面３９及び側面３３のクリアランスは、取込部６１の厚みと同程度であることが望ましい。
【００７６】
図１２は、最上部に左右各１個の突条１４が装備された湾曲側面１３を有する上側押圧板１０の押込みを示す概念図である。図１２に示されるように、１個のみの突条１４が各湾曲側面１３の最上部に形成されることにより、払拭体６０の取付部６１の引き込みを強力にすることができる。又、上側押圧板１０の押し込み後においては、突条１４は係止部３３に係止されるので、突条１４は上側押圧板１０の脱離を防止することができる。
【００７７】
図１３は、最上部から下方に左右各１個の突条１４が装備された湾曲側面１３を有する上側押圧板１０の押込みを示す概念図である。図１３に示されるように、１個の突条１４が各湾曲側面１３の最上部から下方に形成されても、払拭体６０の取付部６１の引き込みを強力にすることができる。
【００７８】
図１４は、下側切欠部１９の外側に上側切欠部１８が設置された上側押圧板１０の押込みを示す概念図である。この様に切欠部を設けることにより、湾曲側面１３に可撓性を付加することができる。この可撓性により、側壁３２の可撓性が不十分な場合においても、上側押圧板１０を容易に下側保持板３０に押し込むことができる。
【００７９】
図１５は、下側切欠部１９の外側に上側切欠部１８が設置され、更に湾曲側面に突条１４が形成された上側押圧板１０の押込みを示す概念図である。この様に切欠部を設けることにより、湾曲側面１３に可撓性を付加することができる。この可撓性により、側壁３２の可撓性が不十分な場合においても、上側押圧板１０を容易に下側保持板３０に押し込むことができる。更に、突条１４により、払拭体６０の取付部６１の引き込み及び湾曲側面１３と側壁３２及び係止部３３による取付部６１の挟着を強化することができる。
【００８０】
図１６は、上側切欠部１８の外側に下側切欠部１９が設置され、更に湾曲側面に突条１４が形成された上側押圧板１０の押込みを示す概念図である。この様に切欠部を設けることにより、湾曲側面１３に可撓性を付加することができる。この可撓性により、側壁３２の可撓性が不十分な場合においても、上側押圧板１０を容易に下側保持板３０に押し込むことができる。更に、突条１４により、払拭体６０の取付部６１の引き込み及び湾曲側面１３と側壁３２及び係止部３３による取付部６１の挟着を強化することができる。
【００８１】
図１７は、係止部３３の形状の例を示す断面図である。図１７に示される係止部３３は、何れも上側押圧板１０の下側保持板への押込みを容易にし、更に上側押圧板１０の脱離を防止することができる。係止部３３は、図１７Ａ〜Ｃ、図１７Ｅ〜Ｊ及び図１７Ｌ〜Ｎに示されるように、側壁３２の最上部に形成されても良い。又、図１７Ｄ及びＫに示されるように、側壁３２の最上部から少々下方に形成されてもよい。
【００８２】
上側滑面３８は、図１７Ａ〜Ｇに示されるように、直線断面を有しても良い。又、図１７Ｈ〜Ｎに示されるように、曲線断面を有しても良い。上側滑面３８は、内部へ向かって下方へ傾斜していれば良いので、図１７Ｂ及びＩに示される様に、上側滑面３８の外方が水平であっても良いし、図１７Ｃ及びＪに示されるように、上側滑面３８の外側が外部へ向かって下方へ傾斜しても良い。
【００８３】
下側押面３９は、図１７Ａ〜Ｄ、図１７Ｆ〜Ｋ及び図１７Ｍ及びＮに示されるように、上側押圧板１０に取付部６１を介して接触する部分が水平であれば良い。従って、図１７Ｇ及びＮに示されるように、側壁３２への接続部に近い部分が水平でなくても良い。又、図１７Ｆ及びＭに示されるように、内側へ向かう先端部が水平でなくても良い。又、図１７Ｅ及びＬに示されるように、外側押面３９が側壁への接合部に向かって上方へ傾斜しても良い。
【００８４】
図１８は、払拭部６４の両面に下面凹凸部３７への係合部６２を兼ねる清掃部６３が形成された払拭体６０の断面図である。払拭部６４においては、片面に刷毛状繊維、毛羽又はループなどが設けられた清掃部６３が設けられ、反対面は下面凹凸部３７への係合部６２となる。係合部６２の構造は、清掃部６３の構造と異なっても良い。しかし、清掃部６３における刷毛状繊維、毛羽又はループなどは、下面凹凸部３７に係合するのにも適する。従って、払拭部６４の両面が清掃部６３の構造を有すれば、両面を清掃又は係合に使用できることになり、払拭部６４の下側保持板３０への取り付け時点で払拭部６４の裏表を考慮する必要がなくなり、前記取り付けが簡便になる。
【００８５】
図１９は、底板部３１における下面凹凸部３７の形状を示す構造底面図である。図１９Ａは、下面凹凸部３７が底板部３１の下面全面に形成されている例を示す。この様に、下面凹凸部３７が全面に形成された場合には、払拭部６４のズレを確実に防止させることができる。しかし、この様に下面凹凸部３７が全面に形成さなくても、払拭部６４のズレを防止できることができる。
【００８６】
図１９Ｂは、下面凹凸部３７が底板部３１下面の縁部のみに形成されている例を示す。この様に、下面凹凸部３７が底板部３１の縁部のみに形成されている場合においても、払拭部６４のズレを防止することができる。
【産業上の利用可能性】
【００８７】
本発明により、構造が単純で、製造が簡単であり、価格が安価である清掃具を提供できる。この清掃具は、組み立て及び分解が容易であり、しかも払拭体のズレが防止される。しかも、前記清掃具の取り扱いが簡単で、清掃能力が高いものとなるので、家庭、仕事場及び公共施設などを清潔に保つのに貢献する。
【符号の説明】
【００８８】
１  押込スライド着脱型清掃具
１０  上側押圧板
１１  平板部
１２  ハンドル
１３  湾曲側面
１４  突条
１５  下向湾曲面
１６  上向湾曲面
１８  上側切欠部
１９  下側切欠部
２０  フック部
２１  フック
２２  押込み部
２３  貫通孔
２４  軸
３０  下側保持版
３１  底板部
３２  側壁
３３  係止部
３４  小側壁
３５  上面凹凸部
３６  波型部
３７  下面凹凸部
３８  上側滑面
３９  下側押面
６０  払拭体
６１  取付部
６２  係合部
６３  清掃部
６４  払拭部
【図１】
2010234026.tif 000003
【図２】
2010234026.tif 000004
【図３】
2010234026.tif 000005
【図４】
2010234026.tif 000006
【図５】
2010234026.tif 000007
【図６】
2010234026.tif 000008
【図７】
2010234026.tif 000009
【図８】
2010234026.tif 000010
【図９】
2010234026.tif 000011
【図１０】
2010234026.tif 000012
【図１１】
2010234026.tif 000013
【図１２】
2010234026.tif 000014
【図１３】
2010234026.tif 000015
【図１４】
2010234026.tif 000016
【図１５】
2010234026.tif 000017
【図１６】
2010234026.tif 000018
【図１７】
2010234026.tif 000019
【図１８】
2010234026.tif 000020
【図１９】
2010234026.tif 000021